(57)【要約】【課題】  ノック体が前後方向へがたつくのを防ぐ。【解決手段】  軸筒１０と、軸筒１０に対し第１の範囲Ｗ１前後へ移動するように軸筒１０内に支持されるとともに後端側を軸筒外に露出したノック体２０と、ノック体２０に押動されて前進する回転子３０と、前進した際の回転子３０をカム斜面２１ａにより回転させて係止するカム機構Ａと、回転子３０の前端側に接続され回転子３０の前進により筆記部４１を軸筒前端から突出させる中芯４０と、回転子３０を軸筒１０に対し後方へ付勢する第１の付勢部材５１と備え、ノック体２０が回転子３０に対し第１の範囲Ｗ１よりも小さい第２の範囲Ｗ２前後へ微動可能に接続され、このノック体２０を軸筒１０に対し後方へ付勢する第２の付勢部材５２が設けられている。【選択図】  図１
2018149787.tif 000002
【特許請求の範囲】
【請求項１】
軸筒と、該軸筒に対し第１の範囲前後へ移動するように該軸筒内に支持されるとともに後端側を軸筒外に露出したノック体と、前記ノック体に押動されて前進する回転子と、
前進した際の回転子をカム斜面により回転させて係止するカム機構と、前記回転子の前端側に接続され該回転子の前進により筆記部を軸筒前端から突出させる中芯と、前記回転子を前記軸筒に対し後方へ付勢する第１の付勢部材と備え、
前記ノック体が前記回転子に対し前記第１の範囲よりも小さい第２の範囲前後へ微動可能に接続され、
このノック体を前記軸筒に対し後方へ付勢する第２の付勢部材が設けられていることを特徴とするノック式筆記具。
【請求項２】
前記回転子の後部側が軸状に形成され、前記ノック体が前記回転子の後部側に嵌り合う筒状に形成され、前記回転子と前記ノック体とのうち、その一方には前後方向へ延びる凹部が設けられ、その他方には前記凹部内で前後方向へ移動可能な凸部が設けられ、
前記凹部の前後幅が、前記第２の範囲を含むように設定されていることを特徴とする請求項１記載のノック式筆記具。
【請求項３】
前記第２の付勢部材は、その前端側を前記軸筒に係止するとともに後端側を前記ノック体に係止して、前記ノック体を後方へ付勢していることを特徴とする請求項１又は２記載のノック式筆記具。
【請求項４】
前記第２の付勢部材は、前記ノック体に環状に装着された圧縮コイルスプリングであり、その前端側を前記軸筒に係止するとともに後端側を前記ノック体に係止し、その径内方向側に、前記凹部及び前記凸部を配置していることを特徴とする請求項２記載のノック式筆記具。
【請求項５】
前記第２の付勢部材は、その前端側を前記回転子に係止するとともに後端側を前記ノック体に係止して、前記ノック体を後方へ付勢していることを特徴とする請求項１又は２記載のノック式筆記具。
【請求項６】
前記第２の付勢部材は、圧縮コイルスプリングであり、その前端側を前記回転子に係止するとともに後端側を前記ノック体に係止して、前記ノック体の内周面と前記回転子の外周面との間に環状に装着されていることを特徴とする請求項２記載のノック式筆記具。
【請求項７】
前記カム機構は、前記ノック体の前端側に、前進した際の前記回転子を滑らせて回転させながら前後方向へ移動させるカム斜面を有し、
前記第２の範囲は、前記ノック体の前記カム斜面による前後方向の移動量よりも長く設定されていることを特徴とする請求項１乃至６何れか１項記載のノック式筆記具。
【発明の詳細な説明】
【技術分野】
【０００１】
本発明は、ノック体が前方へ押動されるのに伴って回転子を前進させ、この回転子に接続された中芯前端の筆記部を軸筒前端から突出させるとともに、前記回転子をカム機構によって回転させて係止するようにしたノック式筆記具に関するものである。
【背景技術】
【０００２】
従来、この種の筆記具は、例えば特許文献１の図３及び図４に記載されるように、軸筒に一体的に接続される筒状の中駒と、中駒内に進退可能かつ後方への移動が規制されるように支持されるとともに後端部を該中駒から後方へ突出させたノック体（操作部）と、前進した際の前記ノック体に押動されカム機構により回転して係止される回転子と、該回転子の前部側に接続され該回転子の前進により筆記部を軸筒前端から突出させる中芯（リフィール）と、前記回転子を前記中駒に対し後方へ付勢する付勢部材と備えたノック式筆記具がある。
【先行技術文献】
【特許文献】
【０００３】
【特許文献１】特開２００４−２０９８８１号公報
【特許文献２】特開２００３−３０５９９０号公報
【発明の概要】
【発明が解決しようとする課題】
【０００４】
ところで、特許文献１に記載の従来技術によれば、筆記部を軸筒前端から突出させて回転子が係止された状態では、ノック体（操作部）が、軸筒内に深めに押し込まれた押込み位置と、軸筒から後方へ長めに突出した突出位置との間で、前後方向へ自由にスライド可能な状態にある。
このため、軸筒に相対するノック体の前後位置によって筆記部が突出しているか否かを視覚的に判断することができない。
また、筆記部の突出状態において、ノック体が前後に自由にスライド可能であるため、筆記方向を素早く変化させる筆記動作や、軸筒を把持する時の動作等に起因して、ノック体が前後にがたついて音や振動を発生する場合がある。
また、ノック体が前記突出位置にて軸筒等との摩擦により静止し、この状態で筆記が行われると、筆記具全体の重心がノック体により後方寄りに位置して、良好な筆記感触が得られない場合がある。
【０００５】
そこで、例えば、特許文献２に記載の発明では、ノック体と一体の固定カムに係止段部を設け、この係止段部を、回転子（回転カム）に設けた係止段部に当接して、ノック体の後方への移動量を小さくしている。
しかしながら、この従来技術においても、ノック体は回転子に相対し、小さい移動量ではあるが前後にがたつくことになり、前者従来技術と同様に、音や振動の発生、筆記感触の低下等を生じるおそれがある。
【課題を解決するための手段】
【０００６】
このような課題に鑑みて、本発明は、以下の構成を具備するものである。
軸筒と、該軸筒に対し第１の範囲前後へ移動するように該軸筒内に支持されるとともに後端側を軸筒外に露出したノック体と、前記ノック体に押動されて前進する回転子と、
前進した際の回転子をカム斜面により回転させて係止するカム機構と、前記回転子の前端側に接続され該回転子の前進により筆記部を軸筒前端から突出させる中芯と、前記回転子を前記軸筒に対し後方へ付勢する第１の付勢部材と備え、
前記ノック体が前記回転子に対し前記第１の範囲よりも小さい第２の範囲前後へ微動可能に接続され、
このノック体を前記軸筒に対し後方へ付勢する第２の付勢部材が設けられていることを特徴とするノック式筆記具。
【発明の効果】
【０００７】
本発明によれば、軸筒に相対するノック体の位置により筆記部が突出状態か否かを視覚的に判断することができる上、ノック体が前後方向へがたつくのを防ぐことができる。
【図面の簡単な説明】
【０００８】
【図１】本発明に係るノック式筆記具の第１実施態様を示す縦断面図である。
【図２】同ノック式筆記具の縦断面図であり、（ａ）はノック体を押圧した状態を示し、（ｂ）はノック体に対する押圧力を解除した状態を示す。
【図３】同ノック式筆記具の要部展開図であり、カム機構の作用を（ａ）〜（ｄ）に順次に示す。
【図４】第１実施態様について、回転子に相対してノック体のスライド筒が進退する範囲（第２の範囲）を示す図であり、（ａ）はスライド筒が該範囲の前端に位置する状態、（ｂ）はスライド軸が該範囲の後端に位置する状態を示す。
【図５】本発明に係るノック式筆記具の第２実施態様を示す縦断面図である。
【図６】図５に示すノック式筆記具の縦断面図であり、（ａ）はノック体を押圧した状態を示し、（ｂ）はノック体に対する押圧力を解除した状態を示す。
【図７】第２実施態様について、回転子に相対してノック体が進退する範囲（第２の範囲）を示す図であり、（ａ）はノック体が該範囲の前端に位置する状態、（ｂ）はノック体が該範囲の後端に位置する状態を示す。
【発明を実施するための形態】
【０００９】
本実施の形態では、以下の特徴を開示している。
第１の特徴は、軸筒と、該軸筒に対し第１の範囲前後へ移動するように該軸筒内に支持されるとともに後端側を軸筒外に露出したノック体と、前記ノック体に押動されて前進する回転子と、前進した際の回転子をカム斜面により回転させて係止するカム機構と、前記回転子の前端側に接続され該回転子の前進により筆記部を軸筒前端から突出させる中芯と、前記回転子を前記軸筒に対し後方へ付勢する第１の付勢部材と備え、前記ノック体が前記回転子に対し前記第１の範囲よりも小さい第２の範囲前後へ微動可能に接続され、このノック体を前記軸筒に対し後方へ付勢する第２の付勢部材が設けられている（図１〜図７参照）。
【００１０】
ここで、前記第１の付勢部材には、前端を軸筒に係止するとともに後端を前記回転子に係止して、前記回転子を軸筒に対し直接的に後方へ付勢する態様や、前端を軸筒に係止するとともに後端を前記回転子に接続された他の部材（例えばリフィール等）に係止して、前記回転子を軸筒に対し間接的に後方へ付勢する態様（図１及び図５参照）等を含む。
また、前記第２の付勢部材には、例えば、前端を軸筒に係止するとともに後端を前記ノック体に係止して、前記ノック体を軸筒に対し直接的に後方へ付勢する態様（図１参照）や、前端を軸筒に係合する他の部材（例えば前記回転子やリフィール等）に係止するとともに後端を前記ノック体に係止して、前記ノック体を軸筒に対し間接的に後方へ付勢する態様（図５参照）等を含む。
【００１１】
第２の特徴は、前記回転子の後部側が軸状に形成され、前記ノック体が前記回転子の後部側に嵌り合う筒状に形成され、前記回転子と前記ノック体とのうち、その一方には前後方向へ延びる凹部が設けられ、その他方には前記凹部内で前後方向へ移動可能な凸部が設けられ、前記凹部の前後幅が、前記第２の範囲を含むように設定されている（図４参照）。
【００１２】
第３の特徴として、前記第２の付勢部材は、その前端側を前記軸筒に係止するとともに後端側を前記ノック体に係止して、前記ノック体を後方へ付勢している（図１〜図２参照）。
【００１３】
第４の特徴として、前記第２の付勢部材は、前記ノック体に環状に装着された圧縮コイルスプリングであり、その前端側を前記軸筒に係止するとともに後端側を前記ノック体に係止し、その径内方向側に、前記凹部及び前記凸部を配置している（図１〜図２参照）。
【００１４】
第５の特徴として、前記第２の付勢部材は、その前端側を前記回転子に係止するとともに後端側を前記ノック体に係止して、前記ノック体を後方へ付勢している（図５〜図６参照）。
【００１５】
第６の特徴として、前記第２の付勢部材は、圧縮コイルスプリングであり、その前端側を前記回転子に係止するとともに後端側を前記ノック体に係止して、前記ノック体の内周面と前記回転子の外周面との間に環状に装着されている（図５〜図６参照）。
【００１６】
第７の特徴として、前記カム機構は、前記ノック体の前端側に、前進した際の前記回転子を滑らせて回転させながら前後方向へ移動させるカム斜面を有し、前記第２の範囲は、前記ノック体の前記カム斜面による前後方向の移動量よりも長く設定されている（図３参照）。
【００１７】
次に、上記特徴を有する具体的な実施態様について、図面に基づいて詳細に説明する。
なお、本明細書中、軸筒軸方向とは、軸筒の中心線の延びる方向を意味する。また、「前」とは、軸筒軸方向の一方側であって筆記部が突出する方向を意味する。また、「後」とは、前記一方側に対する逆方向側を意味する。また、「軸筒径方向」とは、軸筒軸方向に対し直交する方向を意味する。また、「軸筒径外方向」とは、前記軸筒径方向に沿って軸筒中心から離れる方向を意味する。「軸筒径内方向」とは、前記軸筒径方向に沿って軸筒中心へ近づく方向を意味する。
【００１８】
＜第１実施態様＞
図１は、本発明に係るノック式筆記具の一例を示す。
このノック式筆記具１は、軸筒１０と、軸筒１０内に支持されるとともに後端側を軸筒外に露出したノック体２０と、前進した際のノック体２０に押動されカム機構Ａにより回転しながら後退して係止される回転子３０と、回転子３０の前端側に接続され回転子３０の前進により筆記部４１を軸筒前端から突出させる中芯４０と、回転子３０を軸筒１０に対し後方へ付勢する第１の付勢部材５１と、ノック体２０を後方へ付勢する第２の付勢部材５２とを具備する。
【００１９】
軸筒１０は、前端側に先細状の先口部を有する長尺略円筒状の部材であり、図１の一例のように単一の部材からなる態様としてもよいし、複数の略円筒状部材を接続してなる態様としてもよい。この軸筒１０の前端側外周面には、必要に応じて、弾性材料からなるグリップが環状に装着される。
【００２０】
また、軸筒１０の後端側の内周面には、カム機構Ａを構成するためのスライド溝１１、カム斜面１２、係止面１８等が設けられる（図３参照）。
【００２１】
スライド溝１１は、軸筒１０後端側に形成された縮径部分の内周面に前後方向へ連続して凹設された溝であり、周方向に間隔を置いて複数設けられる。
カム斜面１２は、軸筒１０後端側に形成された縮径部分の前端に周方向へ間隔を置いて複数設けられた傾斜面である。これらカム斜面１２は、図３に例示するように、鋸刃状に配設され、隣接する二つのカム斜面１２，１２の間が、前後方向へわたる係止面１８により接続され、隣接する二つのカム斜面１２，１２の周方向の端部が、スライド溝１１の前端に繋がっている。
【００２２】
また、軸筒１０の内周面には、スライド溝１１よりも後側に、径内方向へ環状に突出する突起１３（図１参照）が設けられる。
この突起１３は、後述するノック体２０の突条２１ｃ後端に当接して、ノック体２０の後方への移動を規制する。
【００２３】
ノック体２０は、軸筒１０に対し、第１の範囲Ｗ１前後へ移動するように支持され、その後端側を軸筒後方へ突出している。
詳細に説明すれば、このノック体２０は、スライド筒２１と、このスライド筒２１の後端側に接続されたクリップ部材２２と、スライド筒２１とクリップ部材２２を接続する嵌合孔を塞ぐ閉鎖部材２３とを一体的に具備している。
【００２４】
ここで、第１の範囲Ｗ１とは、筆記部４１が軸筒１０内に収納された初期状態（図２（ａ）の二点鎖線参照）と、ノック体２０に加わる前方への押圧力により筆記部４１が軸筒１０の前端から突出した状態（図２（ａ）の実線参照）との間で、ノック体２０が移動する範囲である。
【００２５】
スライド筒２１は、略円筒状の部材であり、その外周面に形成された突条２１ｃを軸筒１０内周面のスライド溝１１に嵌め合わせることで、軸筒１０に対し進退可能かつ回転不能に係合している。
このスライド筒２１は、その前端面に、Ｖ字状のカム斜面２１ａを周方向へわたって複数配設している（図３参照）。
また、このスライド筒２１は、内周面に凸部２１ｂを有する（図１及び図２参照）。スライド筒２１は、この凸部２１ｂを回転子３０の凹部３５に嵌め合わせることで、第１の範囲Ｗ１よりも小さく、且つスライド筒２１のカム斜面２１ａによる前後方向の移動量Ｍ（図３参照）よりも大きい第２の範囲Ｗ２前後へ微動可能に接続されている（図４参照）。
【００２６】
クリップ部材２２は、軸筒１０に対し前後にスライド可能な筒部２２ａと、この筒部２２ａの外周面から径外方向へ突出し前方へ延設されたクリップ本体部２２ｂとから一体に構成される。
【００２７】
筒部２２ａの後端側は縮径され、その中央部には、スライド筒２１の後端側に嵌合する貫通状の嵌合孔２１ａ１が設けられている。
この筒部２２ａは、その前端側を、軸筒１０の周壁の後端側の筒状孔１４に嵌め合わせて、前後に進退可能である。
【００２８】
閉鎖部材２３は、筒部２２ａの嵌合孔２１ａ１を塞ぐ栓状に構成される。
【００２９】
なお、ノック体２０の他例としては、スライド筒２１、クリップ部材２２及び閉鎖部材２３のうちの一部または全部を予め一体成型した態様や、スライド筒２１の後端側が直接ノックされるようにした態様等とすることが可能である。
【００３０】
回転子３０は、前半部側の円筒部３０ａと、円筒部３０ａよりも小径であって後半部側に位置する軸状部３０ｂとから一体に構成され、軸状部３０ｂをスライド筒２１内に挿入した状態で、軸筒１０内で進退可能であって且つ自由回転可能に支持されている。
この回転子３０は、ノック体２０に押圧されて所定量前進すると、カム機構Ａによって回転して係止され、ノック体２０に再度押圧された際に前記係止状態を解除する（図３参照）。
【００３１】
円筒部３０ａには、軸筒１０のスライド溝１１に嵌って前後に案内されるように該円筒部３０ａの外周面にて前後方向へわたる突条３１や、この突条３１の後端部に設けられて、ノック体２０のカム斜面２１ａや軸筒１０のカム斜面１２に摺接するカム斜面３２等が設けられる。
【００３２】
軸状部３０ｂの外周面には、環状の凹部３５が前後方向へわたって形成されている。
凹部３５の前後幅Ｘは、第２の範囲Ｗ２を含むように設定されている（図４参照）。
【００３３】
第２の範囲Ｗ２は、回転子３０に相対してスライド筒２１が進退する範囲である。
より具体的に説明すれば、この第２の範囲Ｗ２は、回転子３０に対するスライド筒２１の相対位置の範囲であって、スライド筒２１の前進が該スライド筒２１前端のカム斜面２１ａと回転子３０との当接により規制された位置（図４（ａ）参照）と、スライド筒２１の後退が該スライド筒２１の凸部２１ｂと回転子３０の凹部３５後端との当接により規制された位置（図４（ｂ）参照）との間の範囲である。
【００３４】
この第２の範囲Ｗ２は、ノック体２０のカム斜面２１ａによる前後方向の移動量Ｍよりも長く設定されている。
移動量Ｍは、図３に示すように、スライド筒２１のカム斜面２１ａにおける軸筒軸方向の距離である。
すなわち、本実施の形態の好ましい一例では、第２の範囲Ｗ２を移動量Ｍよりも長く設定することで、スライド筒２１に相対する回転子３０の回転及び進退がスムーズに行われるようにしている。
【００３５】
上述した軸筒１０後端側内周面、スライド筒２１、回転子３０等は、ノック体２０のノック操作により回転子３０を回転させながら前後方向へ移動して係止するカム機構Ａを構成している（図３参照）。
このカム機構Ａの基本構造は、例えば、特開２００４−２０９８８１号公報に開示される構造を適用することが可能であるが、同様に機能する他の構造であってもよい。
【００３６】
中芯４０は、図示例によれば、ボールペン用リフィールであり、長尺円筒状のインクタンク４２の前端に、ボールペンチップである筆記部４１を接続している。
この中芯４０の他例としては、シャープペンシル用リフィールや、電子機器用の入力ペン（スタイラスペン）を構成するリフィール等とすることも可能である。
この中芯４０は、第１の付勢部材５１により後方へ付勢され、後端側が回転子３０によって受けられている。
【００３７】
第１の付勢部材５１は、圧縮コイルスプリングであり、その前端部を軸筒１０内の段部１５に係止するとともに、後端部をインクタンク４２外周面の段部４２ａに係止することで、中芯４０を介して回転子３０を間接的に後方へ付勢している。
なお、他例としては、第１の付勢部材５１の前端部を軸筒１０内の後部側に係止し、第１の付勢部材５１の後端部を回転子３０に係止して、回転子３０を直接後方へ付勢するようにしてもよい。
【００３８】
第２の付勢部材５２は、第１の付勢部材５１よりも付勢力の小さい圧縮コイルスプリングである。この第２の付勢部材５２は、前端側を軸筒１０後端側の突起１３に係止するとともに、後端側をノック体２０内の段部２２ｃに係止して、スライド筒２１の外周に環状に装着される。
この第２の付勢部材５２の径内方向側には、スライド筒２１の凸部２１ｂと回転子３０の凹部３５とが位置している。
そして、この第２の付勢部材５２は、ノック体２０を軸筒１０に対し後方へ付勢している。
【００３９】
次に、上記構成のノック式筆記具１について、その特徴的な作用効果を詳細に説明する。
図１に示すように、軸筒１０内に筆記部４１を収納した初期状態において、ノック体２０は、第２の付勢部材５２によって後方へ付勢されて、スライド筒２１の突条２１ｃ後端部を軸筒１０内後端側の突起１３に係止している。
【００４０】
ノック体２０が、外部から押圧力を受け、第１の範囲Ｗ１内にて前進すると、図３（ａ）に示すように、スライド筒２１前端のカム斜面２１ａが回転子３０のカム斜面３２を押動する。このため、回転子３０が、突条３１をスライド溝１１に沿わせて、スライド筒２１と一体的に前進し、この回転子３０に押されて中芯４０も前進する。
【００４１】
前記前進により、回転子３０の突条３１が、図３（ｂ）に示すように、スライド溝１１の前方側へ抜けると、該突条３１後端のカム斜面３２が、スライド筒２１前端のカム斜面２１ａを滑ることで、回転子３０が一方向へ回転する。
そして、突条３１後端のカム斜面３２は、図３（ｃ）に示すように、スライド筒２１前端の隣接するカム斜面２１ａ，２１ａの谷間に係止される。
【００４２】
次に、ノック体２０に対する押圧力が除去されると、回転子３０が第１の付勢部材５１の付勢力により後退し、突条３１後端のカム斜面３２が、軸筒１０側のカム斜面１２に当接して該カム斜面１２を滑り、前記一方向へ回転しながら後退した後、係止面１８に当接する（図３（ｄ）参照）。
一方、中芯４０は、図２（ａ）（ｂ）に示すように、筆記部４１を軸筒１０前端から突出させた状態で、回転子３０と共に若干後退して静止する。
【００４３】
この静止状態において（図２（ｂ）参照）、スライド筒２１は、第２の付勢部材５２によって後方へ付勢されて、凸部２１ｂを凹部３５内の後端側に係止させる。
このため、ノック体２０は、例えば外力により後方へ引っ張られたとしても、回転子３０に相対し後方へ移動することがない。
【００４４】
よって、ノック式筆記具１によれば、軸筒１０に相対するノック体２０の前後方向位置によって筆記部４１が突出しているか否かを視覚的に判断することができる。
しかも、ノック体２０が前後方向へがたつくのを、第２の付勢部材５２の付勢力によって抑制することができ、ひいては、ノック体２０のがたつきにより、音や振動が発生するようなことを防ぐことができる。
特に、図示する好ましい一例によれば、凸部２１ｂ及び凹部３５を第２の付勢部材５２の内側に配置しているため、前後方向の長さが比較的短いコンパクトな構造を得ることができる。
【００４５】
なお、筆記部４１を没入させる際の動作については、詳細説明を省略するが、ノック体２０が再ノック操作されることで、突条３１後端のカム斜面３２が軸筒１０のカム斜面１２から離脱してスライド溝１１内へ戻され、中芯４０が後退する。
【００４６】
＜第２実施態様＞
次に、図５〜図７に示すノック式筆記具２について説明する。このノック式筆記具２は、ノック式筆記具１の構成を一部変更したものであるため、主にその変更部分について詳述し、ノック式筆記具１と同様に機能する部分については、同一の符号を付けて、重複する詳細説明を省略する。
【００４７】
ノック式筆記具２は、軸筒１０’と、軸筒１０’内に支持されるとともに後端側を軸筒外に露出したノック体２０’と、前進した際のノック体２０’に押動かされカム機構Ａにより回転しながら後退して係止される回転子３０’と、回転子３０’の前端側に接続され回転子３０’の前進により筆記部４１を軸筒前端から突出させる中芯４０と、回転子３０’を軸筒１０’に対し後方へ付勢する第１の付勢部材５１と、ノック体２０’を後方へ付勢する第２の付勢部材５２’とを具備する。
【００４８】
軸筒１０’は、図示例によれば、長尺円筒状の軸筒本体１０ａ’と、軸筒本体１０ａ’の前端側に螺合接続された先細筒状の先口１０ｂ’と、軸筒本体１０ａ’の内周面後端側に嵌合した中筒１０ｃ’とから一体的に構成される。
この軸筒１０’の他例としては、単一の長尺略筒状に形成した態様や、複数の筒状部材を軸方向に連結した態様、軸筒本体１０ａ’の前端側に弾性材料からなるグリップを有する態様等とすることが可能である。
【００４９】
中筒１０ｃ’は、軸筒本体１０ａ’の内周面後端側に回転不能且つ進退不能に嵌合した略円筒状の部材である。
この中筒１０ｃ’の内周面には、上記ノック式筆記具１の軸筒１０と同様に、カム機構Ａ（図３参照）を構成するためのスライド溝１１、カム斜面１２、係止面１８、そして、スライド溝１１よりも後側で径内方向へ環状に突出する突起１３等が設けられる。なお、他例としては、これらの構成を軸筒本体１０ａ’の内周面に形成して、中筒１０ｃ’を省くことも可能である。
【００５０】
ノック体２０’は、軸筒１０’に対し第１の範囲Ｗ１前後へ移動するように軸筒１０’（詳細には中筒１０ｃ’）内に支持されるとともに後端側を軸筒後方へ突出させた略円筒状に形成される。
このノック体２０’は、上述したスライド筒２１と同様に、外周面の突条２１ｃ、前端部のカム斜面２１ａ、内周面後端側の凸部２１ｂ等を有する。
また、このノック体２０’内周面の凸部２１ｂよりも前側には、第２の付勢部材５２’の後端部を受ける段部２０ａ’が設けられる。
【００５１】
回転子３０’は、前半部側の円筒部３０ａ’と、円筒部３０ａ’よりも小径であって後半部側に位置する軸状部３０ｂ’とから一体に構成され、軸状部３０ｂ’をノック体２０’内に挿入した状態で、中筒１０ｃ’内で進退可能かつ自由回転可能に支持される。
この回転子３０’は、上記回転子３０と同様に、ノック体２０’に押圧されて所定量前進すると、カム機構Ａにより回転して係止され、ノック体２０’に再度押圧された際に前記係止状態を解除する（図３参照）。
【００５２】
円筒部３０ａ’には、上記回転子３０と同様に、突条３１や、カム斜面３２等が設けられ、軸状部３０ｂ’の外周面には、前後方向へわたる環状の凹部３５が形成される。凹部３５の前後幅Ｘは、第２の範囲Ｗ２を含むように設定されている（図７参照）。
この円筒部３０ａ’内の前端側は、中芯４０の後端部を受けて、該中芯４０に対し着脱可能に嵌り合っている。
【００５３】
また、ノック体２０’における第２の付勢部材５２’よりも前側の内周面と、軸状部３０ｂ’の後半部側の外周面との間には、第２の付勢部材５２’を装着するための筒状の空間が確保される。そして、軸状部３０ｂ’には、第２の付勢部材５２’の前端部を受ける段部３０ｂ１’が形成される。
【００５４】
第２の付勢部材５２’は、回転子３０’、中芯４０、第１の付勢部材５１等を介することで、軸筒１０’に対し間接的にノック体２０’を後方へ付勢している。
詳細に説明すれば、この第２の付勢部材５２’は、圧縮コイルスプリングであり、その前端側を回転子３０’に係止するとともに後端側をノック体２０’に係止して、ノック体２０’内周面と軸状部３０ｂ’外周面との間に環状に装着されている。
【００５５】
この第２の付勢部材５２’の付勢力（ばね荷重）は、筆記部４１の収納状態（図５参照）にて、伸長した第１の付勢部材５１の付勢力よりも大きく、筆記部４１の突出係止状態（図６（ｂ）参照）では、収縮した第１の付勢部材５１の付勢力よりも小さい。
【００５６】
このノック式筆記具２において、カム機構Ａの基本構造は、上記ノック式筆記具１と略同様である（図３参照）。
【００５７】
次に、上記構成のノック式筆記具２について、その特徴的な作用効果を詳細に説明する。
図５に示すように、筆記部４１を収納した初期状態において、ノック体２０’は、第２の付勢部材５２’によって、回転子３０’に対し後方へ付勢され、凸部２１ｂを凹部３５内の後端に当接させるとともに、突条２１ｃ後端を突起１３に当接させて、後方への移動が規制される。
また、この初期状態で、回転子３０’は中芯４０後端に圧接され、中芯４０は第１の付勢部材５１後端に圧接され、第１の付勢部材５１は軸筒１０’内の段部１５’に圧接されている。
このため、ノック体２０’は、前後方向へがたつくことなく静止する。
【００５８】
次に、ノック体２０’が前進すると、上述したノック式筆記具１と同様に、筆記部４１が軸筒１０前端から突出し（図６（ａ）参照）、カム機構Ａの作用（図３参照）によって回転子３０’が回転して係止され、筆記部４１の突出状態が保持される（図６（ｂ）参照）。
この突出保持状態において、ノック体２０’は、第２の付勢部材５２’によって、回転子３０’に対し後方へ付勢され、凸部２１ｂを凹部３５内の後端に当接させるため、後方への移動が規制される。
また、この突出保持状態において、第２の付勢部材５２’を前方で受けている回転子３０’は、収縮した第１の付勢部材５１の弾発力により後方へ付勢されてカム斜面３２を係止面１８に係止しているため（図３（ｄ）参照）、進退しないように保持される。
このため、ノック体２０’は、前後にがたつくことなく静止する。
【００５９】
よって、ノック式筆記具２によれば、ノック式筆記具１と同様に、筆記部４１の出没状態をノック体２０の前後位置によって視覚的に判断することができる上、ノック体２０のがたつきを抑制して、音や振動の発生を防ぐことができる。
特に、図示する好ましい一例によれば、第２の付勢部材５２’をノック体２０’内周面と回転子３０’外周面の間に配置しているため、前後方向の長さが比較的短く且つ細身でコンパクトな構造を得ることができる。
【００６０】
なお、上記したノック体２０（又は２０’）と回転子３０（又は３０’）の関係において、凸部２１ｂと凹部３５は、その凹凸関係を逆にすることが可能である。すなわち、他例としては、ノック体側に凹部を設けるとともに、回転子側に凸部を設けるようにしてもよい。
【００６１】
また、本発明は上述した実施態様に限定されず、本発明の要旨を変更しない範囲で適宜変更可能である。
【符号の説明】
【００６２】
１，２：ノック式筆記具
１０：軸筒
２０：ノック体
２１ａ：カム斜面
２１ｂ：凸部
３０：回転子
３５：凹部
４０：中芯
４１：筆記部
５１：第１の付勢部材
５２：第２の付勢部材
Ａ：カム機構
Ｗ１：第１の範囲
Ｗ２：第２の範囲
Ｘ：前後幅
【図１】
2018149787.tif 000003
【図２】
2018149787.tif 000004
【図３】
2018149787.tif 000005
【図４】
2018149787.tif 000006
【図５】
2018149787.tif 000007
【図６】
2018149787.tif 000008
【図７】
2018149787.tif 000009